(57)【要約】【課題】本発明は、互いに強制的に連結する、傾動可能な座部支持体（１）と背もたれ支持体（５）の傾動可能な背もたれ（２）を、有する椅子、および背もたれ支持体（５）に関する座部支持体（１）の傾斜を個々に調節すること、についての改良を提供する。【解決手段】この改良は、座部支持体（１）の下面に、滑動面輪郭（１４）および昇降要素（７）のフランジ（９）が垂直方向に移動可能に取付けられている垂直スロット（１３）を有するベアリングブロック（１０）が設けられ、昇降要素（７）は、フランジ（９）が垂直方向に動くと、ほぼ長方形の滑動面輪郭（１４）をスライドするほぼ三角形のカラー（１２）を有するという事実にある。これは、座部支持体（１）の傾斜は、昇降要素（７）の回転によって、急にまたは平らに調節でき、限度位置では完全に安定していることを意味する。係止が自動解除される可能性は排除される。【選択図】図５
2008173439.tif 000002
【特許請求の範囲】
【請求項１】
傾動可能な座部支持体（１）と、背もたれ支持体（５）によって支持される傾動可能な背もたれ（２）とを有し、
ベアリングブロック（１０）が、座部支持体（１）の下面に備えられ、
昇降要素（７）を有するロッド（８）が前記ベアリングブロックに垂直方向に移動可能に取付けられ、
前記ロッドはその他端が、背もたれ支持体（５）のベアリング（６）に取付けられ、
ベアリングブロック（１０）は、垂直スロット（１３）および滑動面輪郭（１４）を有し、
昇降要素（７）は、スロット（１３）に垂直方向に移動可能に取付けられたフランジ（９）によって、ロッド（８）に連結され、且つカラー（１２）を有している、
椅子において、
前記滑動面輪郭（１４）は、丸角によって互いに連結された４つの真っ直ぐな辺を有する長方形の形状を有し、１つの辺がスロット（１３）と平行に走り、他の辺がスロット（１３）の上方で水平に走り、
カラー（１２）は、丸角によって互いに連結された３つの真っ直ぐな辺を有する正三角形の形状を有し、フランジ（９）は、三角形の角に着座され、カラー（１２）の前記丸角は、フランジ（９）が上位置にあるときは、滑動面輪郭（１４）の前上位置にあり、フランジ（９）が下位置にあるときは、滑動面輪郭（１４）の前下位置にあり、カラー（１２）の角は、フランジ（９）が上下に移動するときに、滑動面輪郭（１４）で支持される、
ことを特徴とする椅子。
【請求項２】
ロッド（８）およびフランジ（９）が角柱面を有し、その結果、昇降要素（７）がロッド（８）に、回転に関して固定的に連結することができることを特徴とする、請求項１に記載の椅子。
【請求項３】
角柱形状が六角形であることを特徴とする、請求項２に記載の椅子。
【請求項４】
カラー（１２）は、丸い連結部を有する周囲ウェブからなり、前記ウェブは、その丸い連結部によって滑動面輪郭（１４）で支持されることを特徴とする、請求項１に記載の椅子。
【請求項５】
フランジ（９）が上位置にあるとき、昇降要素（７）のハンドル（１１）は、垂直位置にあることを特徴とする、請求項４に記載の椅子。
【請求項６】
ロッド（８）は、鋼からなり、ベアリングブロック（１０）および昇降要素（７）は、ガラス繊維強化ポリアミドからなることを特徴とする、請求項１に記載の椅子。
【発明の詳細な説明】
【技術分野】
【０００１】
本発明は、傾動可能な座部、および背もたれ支持体によって支持される傾動可能な背もたれを有する椅子に関する。
【背景技術】
【０００２】
この種の椅子は、使用者が、椅子を人間工学的観点から使用者各自の作業位置に合わせることが可能でなければならないオフィス部門にとどまらず、使用者が、リラックスのために座部と背もたれのそれぞれの傾きを変えたいと思う私生活においても重要である。
【０００３】
傾動可能な座部および傾動可能な背もたれを有する椅子は、例えば、欧州特許出願公開第８３４２７１号、欧州特許第４８９９６１号または同第２３３９７４号で知られている。これらの公報で知られた椅子は、傾動可能な座部および背もたれを有し、座部と背もたれは互いに強制的に連結されている。従って、これは、同期機構と呼ばれる。
【０００４】
これらの椅子は、実際に非常に極めてうまくいったことを証明した。しかしながら、使用者は、同期機構によってあらかじめ決定された座部と背もたれとの間の傾き関係を依然として使用しなければならないため、これらの椅子は未だ理想的ではない。使用者は、特定の位置で背もたれの傾斜を調節することができず、そのような位置で座部の傾斜を変えることもできない。
【０００５】
従って、欧州特許出願公開第１１９２８７６号に記載され、座部の下側に、ベアリングブロックを備え、ディスクがベアリングブロックに回転可能に取付けられ、ハンドルを有する六角形のロッドが偏心配置でディスクを貫通し、ハンドルが背もたれ支持体の腕に取付けられている、椅子が、開発されてきた。この既知のデザインは、うまくいったことを証明した。しかしながら、座部の傾斜が調節されているとき、座部はデザインの観点から望ましくない水平移動をしなければならないという不都合があった。なぜならば、水平移動が、特に前縁で、座部の取付けのデザインの自由度を制限するからである。
【０００６】
従って、欧州特許出願公開第１５７６９０５号に記載されているように、既知のデザインが更に開発されている。更なる開発の基本的なコンセプトは、座部が背もたれ支持体で支持されているけれども、座部と背もたれ支持体との間の間隔を、特殊ベアリングによって、直線的な仕方で手動で変えることができるという理想にある。これは、原理上は、座部は背もたれの傾斜に追随するが、その他に、水平移動をすることなく座部の傾斜を個々に調節することができることを意味する。このために、座部の下面のベアリングブロックのデザインは、垂直スロットおよび滑動面輪郭を有し、昇降要素のフランジがスロット内で案内され、フランジを移動させたときに、昇降要素のカラーが滑動面輪郭上をスライドする。
【０００７】
しかしながら、この解決手段は、激しい動きをした場合には、最大の安定性を与えないので、まだ理想的ではない。本発明は、これを改善することを目的とする。
【０００８】
【特許文献１】欧州特許出願公開第８３４２７１号明細書
【特許文献２】欧州特許第４８９９６１号明細書
【特許文献３】欧州特許第２３３９７４号明細書
【特許文献４】欧州特許出願公開第１１９２８７６号明細書
【特許文献５】欧州特許出願公開第１５７６９０５号明細書
【発明の開示】
【発明が解決しようとする課題】
【０００９】
従って、本発明の目的は、傾動可能な座部および傾動可能な背もたれを有し、座部が最大の安定性を有するように、背もたれの傾斜に従って同期機構によってもたらされる傾斜に関係なく、座部の傾斜を個々に調節することができる、椅子を更に改良することである。この場合、本発明のデザインは、殆ど複雑でなく、生産工程で容易に製造することが可能であり、その上、視覚的および審美的観点から十分に満足できるものである。
【課題を解決するための手段】
【００１０】
本発明の目的は、請求項１および従属項の特徴によって達成される。
【発明を実施するための最良の形態】
【００１１】
本発明を、図面に示される例示的実施形態を参照してより詳細に説明する。
【００１２】
図１および図２に示す椅子の主たる構成要素は、座部支持体１を有する座部、背もたれ支持体５を有する背もたれ２、可傾機構ケーシング４、およびベース支柱３である。
【００１３】
座部および背もたれ２を有する背もたれ支持体５は、可傾機構および座部支持体と背もたれ支持体５との間の関節リンクによって、既知の方法で、それらの傾斜に関して、互いに強制的に連結される。かくして、背もたれ２および背もたれ２とともに背もたれ支持体５が後方へ傾むけられるならば、座部支持体１もまた下げられる。
【００１４】
しかしながら、座部支持体１と背もたれ支持体５との間の関節リンクは、本発明によれば、図３、４、および５に詳細に示す要素７〜１４を含む。
【００１５】
座部支持体１の下面には、左右それぞれに、スロット１３および滑動面輪郭１４を有するベアリングブロック１０が備えられている。ベアリング６は、背もたれ支持体５の左右それぞれに備えられている。更に、六角形の形態をなすロッド８が備えられ、昇降要素７が、フランジ９によって、ロッド８の各両端に押し付けられている。フランジ９もまた六角形の形態をしているので、昇降要素７は、回転できないように、ロッド８に着座される。完全に取付けられた状態では、ロッド８は、第１のベアリングブロック１０、第１のベアリング６、第２のベアリング６、そして第２のベアリングブロック１０を順次貫通する。昇降要素７のフランジ９は、いずれの場合にも、ベアリングブロック１０のそれぞれのスロット１３で、垂直方向に移動可能に案内され、カラー１２は、滑動面輪郭１４内で移動可能である。
【００１６】
ハンドル１１を有するので、椅子を使用する人が、昇降要素７を操作することができる。
【００１７】
特に、図５から分かるように、昇降要素７は、カラー１２を更に有し、該カラーは、実質的に、丸角を有する正三角形の形状の周囲ウェブからなり、丸角の１つにフランジ９が着座されている。ベアリングブロック１０は、スロット１３およびこれに相応する方法で滑動面輪郭１４を有する。滑動面輪郭１４は、丸角を有するほぼ長方形の形状を有し、その辺の１つは、スロット１３と平行に走り、その他の辺は、スロット１３の上方で水平に走る。取付けるために、昇降要素７をフランジ９とともにスロット１３の中に導入し、カラー１２は、滑動面輪郭１４の内側に位置するようになる。
【００１８】
前縁での座部支持体１の取付けは、座部ベアリング１５によって座部ベアリングピン１６に行われる。
【００１９】
作動中、本発明による機構は、以下のように働く。図１に示すように、座部支持体１の後縁が下げられるときには、昇降要素７のフランジ９は、スロット１３の上位置に配置される。カラー１２の前側が、スロット１３と平行に走り、滑動面輪郭１４の下丸角に、カラーの下丸角が位置する。ハンドル１１は、図５に示すように、垂直位置にある。
【００２０】
座部支持体１の後縁が、図２に示すように、今、背もたれ支持体５に関して持ち上げられることになれば、昇降要素７を、ハンドル１１によって、後ろに反時計回りに回す。これにより、カラー１２の下丸角を、滑動面輪郭１４の後下丸角まで移動させ、ここでカラー１２の下丸角が掛け止まり、掛け止め点を定める。更に移動すると、この上位置が係止されるので、機構の自動調節は、もはや起こり得ない。
【００２１】
座部支持体１の後縁を下げるためには、ハンドル１１を、その垂直位置に戻す。これは、カラー１２が、滑動面輪郭１４の丸角によって、再び支持され、フランジ９は、上方に向いた力を受けることを意味する。このことはまた、ベアリングブロック１０に作用する、椅子を使用する人の体重によって、補助される。次いで、限度位置では、昇降要素７は、再び、図５に示す位置になる。
【００２２】
昇降要素７およびベアリングブロック１０は、大きな力を伝達しなければならないので、ガラス繊維強化ポリアミドでできている。ロッド８は鋼でできている。
【００２３】
本発明は、目的に従って、追求された利点を高度に達成することが分かるであろう。高さ調節の２つの限度位置は、完全に安定し、自動解除の可能性は排除される。
【００２４】
本発明は、以上の実施の形態に限定されることなく、特許請求の範囲に記載された発明の範囲内で種々の変更が可能であり、それらも本発明の範囲内に包含されるものであることはいうまでもない。
【図面の簡単な説明】
【００２５】
【図１】座部を下げた、本発明の椅子の側面図である。
【図２】座部を上げた、図１と同様の側面図である。
【図３】本発明による座部支持体、背もたれ支持体、可傾機構ケーシングおよびベアリングの分解斜視図である。
【図４】異なる方向からの、本発明によるベアリングの、可傾機構ケーシングを含まない分解斜視図である。
【図５】ベアリングブロックの外側および昇降要素の内側を示す、ベアリングブロックおよび昇降要素の側面図である。
【符号の説明】
【００２６】
１：座部支持体
２：背もたれ
３：ベース支柱
４：可傾機構ケーシング
５：背もたれ支持体
６：ベアリング
７：昇降要素
８：ロッド
９：フランジ
１０：ベアリングブロック
１１：ハンドル
１２：カラー
１３：スロット
１４：滑動面輪郭
１５：前座部ベアリング
１６：座部ベアリングピン
【図１】
2008173439.tif 000003
【図２】
2008173439.tif 000004
【図３】
2008173439.tif 000005
【図４】
2008173439.tif 000006
【図５】
2008173439.tif 000007